(57)【要約】      （修正有）【課題】手を入れやすく出しやすい支持部が取り付けられたタオルを提供する。【解決手段】タオル１は、タオル本体部１０と、タオル本体部１０に取り付けられ、手を出し入れするための挿入口２０ａが形成され、挿入された手をタオル本体部１０に対して着脱自在に固定するための支持部２０とからなる。支持部２０は、タオル本体部１０の長手方向の両端に取り付けられている。【選択図】図１
0003217452.tif 000002
【実用新案登録請求の範囲】
【請求項１】
タオルであって、
タオル本体部（１０）と、
前記タオル本体部（１０）に取り付けられ、手を出し入れするための挿入口（２０ａ）が形成され、挿入された手を前記タオル本体部に対して着脱自在に固定するための支持部（２０）とからなり、
前記支持部（２０）は、前記タオル本体部（１０）の長手方向の両端に取り付けられている
ことを特徴とするタオル。
【請求項２】
請求項１に記載されたタオルであって、
前記支持部（２０）は、手の指先側の全部又は一部を覆うように形成されている
ことを特徴とするタオル。
【請求項３】
請求項２に記載されたタオルであって、
前記支持部（２０）は、前記タオル本体部（１０）の同一方向側の縁に取り付けられている
ことを特徴とするタオル。
【請求項４】
請求項３に記載されたタオルであって、
前記支持部（２０）は、前記タオル本体部（１０）の縁に沿うように三角形形状に形成されている
ことを特徴とするタオル。
【請求項５】
請求項３に記載されたタオルであって、
前記支持部（２０）は、前記タオル本体部（１０）の長辺と短辺を跨ぐ帯状形状に形成されている
ことを特徴とするタオル。
【請求項６】
請求項１〜５のいずれか１項に記載されたタオルであって、
前記支持部には、全部又は一部に弾性変形可能な弾性部材（１３０）が取り付けられている
ことを特徴とするタオル。
【請求項７】
請求項１〜６のいずれか１項に記載されたタオルであって、
前記支持部には、指の間を仕切るための仕切部（２４０）が形成されている
ことを特徴とするタオル。
【考案の詳細な説明】
【技術分野】
【０００１】
本考案は、タオルに関する。さらに詳しく説明すると、本考案は手を入れやすく出しやすい支持部が取り付けられたタオルに関する。
【背景技術】
【０００２】
タオルは、吸水性や肌触りが良いため、赤ちゃんの体を拭くことにも使用される。タオルは、長方形形状の１枚の布状のものであるため、じっとしていることが難しい赤ちゃんの体の水分を拭き取るためには、タオル自体をしっかりと掴んで持っている必要があった。このため、赤ちゃんを拭く者は、常に動いている赤ちゃんの体を抱きかかえながら、タオルを落とさないことと、赤ちゃんを落とさないこと、の二つのことを同時に意識する必要がある。従来のタオルでは、赤ちゃんの落下の危険性を低減する配慮がされておらず、体の水分を拭きとることは容易ではなかった。また、赤ちゃん等の体を拭くタオルについて、さまざまな提案がなされているが、特許文献を基に、従来の技術を説明する。
【０００３】
入浴時に高齢者が背中を洗う場合に、タオルの両端部を容易に持つことができ、且つタオルを簡易に動かすことができるような手袋付き浴用タオルの技術が知られている（例えば、特許文献１参照）。高齢者や幼児など握力の弱い人が、タオルの両端部を確実で容易且つ迅速に把持できるようにすると共に、使い勝手を良くするポケット付きタオルの技術が知られている（例えば、特許文献２参照）。赤ちゃんの入浴時や、猫や犬などのペットのシャンプー時などにタオル自体を保持する煩わしさがなく、容易に手から落ちることを防ぎ、濡れた体をしっかりと抱きかかえることと、体の水気をふき取るということを両立させるポケット付タオル技術が知られている（例えば、特許文献３参照）。
【先行技術文献】
【特許文献】
【０００４】
【特許文献１】特開２０００−２５４０３３号公報
【特許文献２】登録実用新案第３１０４１７６号公報
【特許文献３】登録実用新案第３１０９３１６号公報
【考案の概要】
【考案が解決しようとする課題】
【０００５】
しかし、特許文献１に示された手袋付き浴用タオルは、構造が複雑で製造が困難であるという問題点があった。特許文献２に示されたポケット付きタオルは、ポケットがタオルの本体の途中にに縫い付けられているため、デザイン選択の幅が狭まり、裏地に縫い目が目立つためデザイン性に優れないという問題点があった。特許文献３に示されたタオルは、ポケット部が手だけでなく腕まで覆ってしまうため、緊急の場合にすぐに取り外すことができないという問題点があった。
【０００６】
本考案は、このような社会的、技術的背景に基づいたものであり、次のような目的を達成する。本考案の目的は、手を入れやすく出しやすい支持部が取り付けられたタオルを提供することにある。
【課題を解決するための手段】
【０００７】
本考案は、前記目的を達成するために次の手段をとる。
本考案１のタオルは、タオル本体部と、前記タオル本体部に取り付けられ、手を出し入れするための挿入口が形成され、挿入された手を前記タオル本体部に対して着脱自在に固定するための支持部とからなり、前記支持部は、前記タオル本体部の長手方向の両端に取り付けられていることを特徴とする。
【０００８】
本考案２のタオルは、本考案１であって、前記支持部は、手の指先側の全部又は一部を覆うように形成されていることを特徴とする。
【０００９】
本考案３のタオルは、本考案２であって、前記支持部は、前記タオル本体部の同一方向側の縁に取り付けられていることを特徴とする。
【００１０】
本考案４のタオルは、本考案３であって、前記支持部は、前記タオル本体部の縁に沿うように三角形形状に形成されていることを特徴とする。
【００１１】
本考案５のタオルは、本考案３であって、前記支持部は、前記タオル本体部の長辺と短辺を跨ぐ帯状形状に形成されていることを特徴とする。
【００１２】
本考案６のタオルは、本考案１から５のいずれかであって、前記支持部には、全部又は一部に弾性変形可能な弾性部材が取り付けられていることを特徴とする。
【００１３】
本考案７のタオルは、本考案１から６のいずれかであって、前記支持部には、指の間を仕切るための仕切部が形成されていることを特徴とする。
【考案の効果】
【００１４】
以上説明したように、本考案のタオルは、手を入れやすく出しやすい支持部が取り付けられている。
【図面の簡単な説明】
【００１５】
【図１】図１は、第一実施形態のタオル１を示す外観図である。
【図２】図２は、タオル１に手を固定した状態を示す外観図である。
【図３】図３は、タオル１を使用して赤ちゃんを拭いている状態を示す外観図である。
【図４】図４は、タオル１を使用して赤ちゃんを拭いている状態を示す外観図である。
【図５】図５は、第二実施形態のタオル１０１を示す外観図である。
【図６】図６は、第三実施形態のタオル２０１を示す外観図である。
【図７】図７は、第四実施形態のタオル３０１を示す外観図である。
【考案を実施するための形態】
【００１６】
〔第一実施形態〕
本考案の第一実施形態を図面に基づいて詳細に説明する。図１は、タオル１を示す外観図である。なお、タオル１は、支持部が取り付けられている方向を表面として、その反対面を裏面として説明する。図１に示すように、タオル１は、タオル本体部１０及び支持部２０から形成されている。
【００１７】
〔タオル本体部１０〕
図１に示すように、タオル本体部１０は、例えば、濡れた赤ちゃんの体についた水分を拭き取る本体である。タオル本体部１０は、幅が広く、例えば、赤ちゃんを包みこむことができる程度の大きさの長方形形状に形成されている。タオル本体部１０は、綿、麻、ガーゼ、ポリエステル、アクリル、マイクロファイバー、ナイロン等の天然繊維や化学繊維等の材質から形成されている。タオル本体部１０は、吸水性や肌触りを良くするため、その表面にループ状（輪奈）の細かい糸が飛びだすように形成されている。
【００１８】
〔支持部２０〕
支持部２０は、濡れた赤ちゃんを拭くときに、拭く者の手を支持する部材である。図１に示すように、支持部２０は、直角二等辺三角形に形成されており、その斜辺部分が手を出し入れするための挿入口２０ａであり、他の辺の部分が縫製部２１としてタオル本体部１０に縫製されている。支持部２０は、タオル本体部１０に縫製されていることで、手の指先側の全部又は一部を覆うような大きさの袋状の空間ｓが区画されている。支持部２０は、タオル本体部１０の縁に沿うように縫製部２１が目立たないように縫製されている。本例において、支持部２０は、タオル本体部１０の同一方向側（図１における上方向側）の長辺側の両端に二つ取り付けられている。
【００１９】
〔タオル１の使用方法〕
次に、タオル１の使用方法について、図２乃至図４に基づいて説明する。図２は、タオル１に手を固定した状態を示す外観図である。図３は、タオル１を使用して赤ちゃんを拭いている状態を示す外観図である。図４は、タオル１を使用して赤ちゃんを拭いている状態を示す外観図である。図２乃至４に示すように、タオル１の空間ｓに手ｈを挿入して、タオル１が手に支持されている状態を支持状態として説明をする。
【００２０】
本例においては、お母さんｍが、お風呂上がりの赤ちゃんｂの体の水分を拭く場合について説明する。まず、図２に示すように、お母さんｍは、タオル１の挿入口２０ａから手ｈを挿入し、手ｈの指先側が支持部２０に覆われる。挿入された手ｈは、区画された空間ｓに挿入することで、支持部２０に支持されてタオル１が固定される。お母さんｍは、空間ｓに手ｈを挿入することで、タオル１を掴んだり握ったりすることなく、タオル１を自在に操作できる。
【００２１】
また、挿入された手ｈは、空間ｓ内でタオル１を掴んだり握ったり離したりが自由にできるため、さらに細かくタオル１を操作できる。さらに、挿入された手ｈは、指先側のみが支持部２０に覆われているため、タオル１から容易に取り外すことができる。つまり、お母さんｍは、空間ｓから手ｈを容易に取り出すことで、支持状態とその解除が容易にできる。
【００２２】
支持部２０は、タオル本体部１０の同一方向側の長辺側の両端に二つ取り付けられているため、手ｈによるタオル本体部１０の張り具合の調整が容易になる。例えば、入れた手ｈの調整によって、タオル本体部１０の支持部２０が取り付けられた長辺側は張ることができ、タオル本体部１０の支持部２０が取り付けられていない長辺側は緩めることができる。
【００２３】
図３に示すように、お母さんｍは、手ｈにタオル１がしっかり固定されているため、赤ちゃんｂを抱っこした状態でも、タオル１や赤ちゃん１を落とすことなく、体の水分を拭くことができる。お母さんｍは、手ｈにタオル１がしっかり固定されているため、タオル１が落ちることを意識する必要がなく、赤ちゃんｍを抱っこすることとその水分を拭くことに集中できる。図４に示すように、お母さんｍは、手ｈにタオル１がしっかり固定されているため、赤ちゃんｂが床等の上でじっとしていない状態でも、手ｈにタオル１がしっかり固定されているため、タオル１が外れることを意識する必要がなく、赤ちゃんｂの水分を拭くことに集中できる。お母さんｍが、手ｈを別のことに使用する場合にも、タオル１から容易に取り外すことができる。
【００２４】
〔本考案の第二実施形態〕
本考案の第二実施形態を図面に基づいて詳細に説明する。なお、この第二実施形態のタオル１０１は、前述した第一実施形態のタオル１とほぼ同様の構成である。このため、異なる構成については説明はするが、同様の構成については説明は省略する。図５に示すように、支持部１２０には、挿入口１２０ａに沿うように弾性変形するゴム等の弾性部材からなる弾性部１３０が取り付けられている。弾性部１３０は、タオル１に向かって付勢するように、取り付けられている。弾性部１３０は、例えば、引っ張った状態で支持部１２０に縫製されることで、タオル１に向かって付勢する。タオル１０１は、弾性部１３０が取り付けられているため、支持部１２０がお母さんｍの手ｈを付勢してしっかり固定する。
【００２５】
〔本考案の第三実施形態〕
本考案の第三実施形態を図面に基づいて詳細に説明する。なお、この第三実施形態のタオル２０１は、前述した第一実施形態のタオル１とほぼ同様の構成である。このため、異なる構成については説明はするが、同様の構成については説明は省略する。図６に示すように、支持部２２０には、空間ｓを第一空間ｓ１と第二空間ｓ２に区画する仕切部２４０が取り付けられている。仕切部２４０は、タオル本体部２１０と支持部２２０を縫製することで形成されている。
【００２６】
仕切部２４０が形成されていることで、第一空間ｓ１と第二空間ｓ２に入れる指が仕切られる。本例においては、第一空間ｓ１に親指が入れられ、第二空間ｓ２に人差し指、中指、薬指、小指が入れられる。タオル２０１は、仕切部２４０で指が仕切られているため、支持部１２０がお母さんｍの手ｈを支持してしっかり固定されると共に、挿入された手ｈは、袋状の空間内でタオル１を掴んだり離したりの動作がより容易にできる。なお、仕切部２４０は、全ての指の間や一部の指の間に形成されても良い。また、仕切部２４０は、縫製に限らず、タオル本体部２１０と支持部２２０との間に他の部材を取り付けることで形成しても良い。
【００２７】
〔本考案の第四実施形態〕
本考案の第四実施形態を図面に基づいて詳細に説明する。なお、この第四実施形態のタオル３０１は、前述した第一実施形態のタオル１とほぼ同様の構成である。このため、異なる構成については説明はするが、同様の構成については説明は省略する。図７に示すように、支持部３２０は、長方形形状のタオル本体３１０の長辺と短辺を跨ぐ帯状形状に形成されている支持部３２０は、全部又は一部が弾性変形する帯状形状のゴム等でも良い。タオル３０１は、支持部３２０が帯状形状であるため、手ｈの出し入れの動作がより容易にできる。
【００２８】
以上、本考案のタオルの実施形態の説明を行ったが、本考案は、この実施形態に限定されることはなく、本考案の目的、趣旨を逸脱しない範囲内で変更ができる。本実施形態のタオルの支持部は、使用する生地の最小の形状となる三角形で説明をしたが、タオル本体部の縁に沿って、縫製部が目立たないのであれば、その形状は他の形状であっても良いことは言うまでもない。
【符号の説明】
【００２９】
１      ：タオル
１０    ：タオル本体部
２０    ：支持部
【図１】
0003217452.tif 000003
【図２】
0003217452.tif 000004
【図３】
0003217452.tif 000005
【図４】
0003217452.tif 000006
【図５】
0003217452.tif 000007
【図６】
0003217452.tif 000008
【図７】
0003217452.tif 000009